(57)【特許請求の範囲】
【請求項１】
少なくとも前後一対の針床を備え、目移しが可能な横編機を用いたホールを有する編地の編成方法において、前記ホールはホールの周囲を少なくとも１以上のウエールからなる編目列で形成したホール形成部を有し、以下の工程で編成される、
ホール形成部を横方向に向けて移動させると共に、移動方向の逆側に増し目と、移動したホール形成部の編目列に続けて新たな編目列を形成することを繰り返し行うことでホール形成部の始端部を形成する工程１、
前記工程１に続けてホール形成部の編目列を繰り返し形成する工程２、
ホール形成部を前記工程１での移動とは逆の方向に向けて移動させながら前記工程１で形成した増し目との重ね目を形成すると共に、移動した編目列に続けて新たな編目列を形成することを繰り返し行うことでホール形成部の終端部を形成しながらホール形成部の始端部と終端部を接合する工程３、を含むことを特徴とするホールを有する編地の編成方法。
【請求項２】
前記工程１の前と、前記工程３の後に、ホール形成部の始端部と終端部の編目列が傾斜するように順次引き返し編成を行うことを特徴とする請求項１に記載のホールを有する編地の編成方法。
【請求項３】
複数のホールを形成するために前記工程２の後、工程３の前に工程１〜３を行い、ホール形成部の始端部と終端部を複数個所で接合してホールを形成することを特徴とする請求項１または２に記載のホールを有する編地の編成方法。
【請求項４】
少なくとも前後一対の針床を有した目移しが可能な横編機を用いて無縫製で編成されたホールを有する編地において、
ホールの周囲を少なくとも１以上のウエールからなる編目列で形成したホール形成部を用いて形成され、ウエール方向に連続したホール形成部が略中間位置で折り返し、ホールを挟んで対向するホール形成部は編目列のウエール方向が逆向きになると共に、ホール以外では対向するホール形成部の増し目による始端部と編目による終端部が接合されていることを特徴とするホールを有する編地。
【発明の詳細な説明】
【技術分野】
【０００１】
本発明は、ホールを有する編地の編成方法、およびその編地に関する。
【背景技術】
【０００２】
従来、横編機を用いて編地を編成する間にホールを同時に編成することが行われている。ホールを用いたものとしてボタンホールがある。例えば特許文献１では、横孔のボタンホールを有する編地とその編成方法が示されている。また、縦孔のボタンホールも存在する。図９に示す編地３０は、ボタンホール３３の下端部３２で２つに分岐し、その分岐を境にそれぞれ別の編糸で折り返し編成している。ボタンに合う大きさの孔が形成された後に、ボタンホール３３の上端部３４で隣接する編目を重ねて接合する。
【先行技術文献】
【特許文献】
【０００３】
【特許文献１】特許第２５７３１０１号公報
【発明の概要】
【発明が解決しようとする課題】
【０００４】
しかしこのボタンホール３３では、ボタンの掛け外しを繰り返すことで、ボタンホール３３の下端部３２や上端部３４とその両端の編目に加わる力が重なり、着用時に外方に引っ張られる力により糸切れが発生する場合がある。この糸切れは、強度不足を起因する問題であり、ボタンホールに限らず、ホールをベルトや紐などを挿通用に使用する場合にも発生する。
【０００５】
本発明は上記事情に鑑みてなされたものであり、ホールの周縁に位置する編目に加わる力を分散し、編糸が切れにくいホールを有する編地の編成方法とその編地を提供することにある。
【課題を解決するための手段】
【０００６】
本発明は、少なくとも前後一対の針床を備え、目移しが可能な横編機を用いたホールを有する編地の編成方法において、前記ホールはホールの周囲を少なくとも１以上のウエールからなる編目列で形成したホール形成部を有し、以下の工程で編成される、
ホール形成部を横方向に向けて移動させると共に、移動方向の逆側に増し目と、移動したホール形成部の編目列に続けて新たな編目列を形成することを繰り返し行うことでホール形成部の始端部を形成する工程１、
前記工程１に続けてホール形成部の編目列を繰り返し形成する工程２、
ホール形成部を前記工程１での移動とは逆の方向に向けて移動させながら前記工程１で形成した増し目との重ね目を形成すると共に、移動した編目列に続けて新たな編目列を形成することを繰り返し行うことでホール形成部の終端部を形成しながらホール形成部の始端部と終端部を接合する工程３を、含むことを特徴とする。
【０００７】
本発明では、前記工程１の前と、前記工程３の後に、ホール形成部の始端部と終端部の編目列が傾斜するように順次引き返し編成を行うことを特徴とする。
【０００８】
また本発明では、複数のホールを形成するために前記工程２の後、工程３の前に工程１〜３を行い、ホール形成部の始端部と終端部を複数個所で接合してホールを形成することを特徴とする。
【０００９】
また本発明の編地は、少なくとも前後一対の針床を有した目移しが可能な横編機を用いて無縫製で編成されたホールを有する編地において、ホールの周囲を少なくとも１以上のウエールからなる編目列で形成したホール形成部を用いて形成され、ウエール方向に連続したホール形成部が略中間位置で折り返し、ホールを挟んで対向するホール形成部は編目列のウエール方向が逆向きになると共に、ホール以外では対向するホール形成部の増し目による始端部と編目による終端部が接合されていることを特徴とする。
【発明の効果】
【００１０】
本発明によれば、ホールの周囲を形成するホール形成部は、その始端部と終端部が複数の重ね目を形成しながら接合されるため、引っ張りの力がホール周縁の編目に加わった際に力が分散されて強度が増す。
【００１１】
また本発明によれば、ホール形成部の始端部と終端部に連続する編目列を、順次引き返し編成を行うことで、編地から分岐するホール形成部が滑らかに曲がり、編目の突っ張りを防ぐことができる。
【００１２】
さらに本発明によれば、編地の側端部から突出した編地にホールを２個以上並べることができる。新しいデザインのボタンホールが形成でき、またベルトや紐などの挿通用に使用することもできる。
【図面の簡単な説明】
【００１３】
【図１】本発明の実施例１として示すホールを有する編地１の概略図である。
【図２】本発明の実施例１として示すホールを有する編地１の編成図である。
【図３】図２に続く本発明の実施例１として示すホールを有する編地１の編成図である。
【図４】図３に続く本発明の実施例１として示すホールを有する編地１の編成図である。
【図５】本発明の実施例２として示すホールを有する編地１０の概略図である。
【図６】本発明の実施例２として示すホールを有する編地１０の編成図である。
【図７】本発明の実施例３として示すホールを有する編地２０の概略図である。
【図８】本発明の実施例３として示すホールを有する編地２０の編成概略図である。
【図９】従来のボタンホールを有する編地３０の概略図である。
【発明を実施するための形態】
【００１４】
以下、本発明の実施例１〜３のホールを有する編地の説明を行う。編成に使用する横編機は、前後一対の針床を備えた２枚ベッド横編機で、１本置きの針を用いて編成する。図示はしていないが、筒状編地としてのカーディガンにホールが形成できる。単層編地であれば空針を設定せず連続する編針を用いて編成しても良い。また横編機は、後針床が前針床に対してラッキングが可能で、針床の上方に複数の給糸口を有する。説明の便宜上、編成される編地はすべて平編みとし、編成図では針数を実際の編成よりも少なくしている。勿論、編地は平編み以外の組織を用いて編成しても良い。なお、本実施例で示すホール３，１３，２３は、ボタンホールであるが、ベルトや紐状のファッションアイテムなどを挿通するホールとしても適用できる。
【００１５】
また後述する図２〜４，図６の編成図は、以下の内容で示す。図中の左欄の「Ｓ（Ｔ）＋数字」は工程番号を示す。また、図中の右欄のＡ〜Ｓは前針床（以下、ＦＢ）およびａ〜ｓは後針床（以下、ＢＢ）の編針を、○は旧編目を、●は各工程で編成される新たな編目を、◎は重ね目を、Ｖ字は掛け目もしくはタック目を示し、各編成工程で編成動作を行った部分は実線で示す。さらに、図中の中欄における左右方向の矢印は編成方向を、上下、斜め方向の矢印は目移しを行うことを示し、紙面下側にある操作が先に行われる。なお上下、斜め方向が組み合わされた矢印は、その途中の工程は省略する。
【００１６】
図１は、実施例１として示すホール３を有する編地１の概略図である。本実施例のホール３を有する編地１は、図中、下側から上側に向けて矢印の示す方向に編成する。編地１の右側の側端部５から分岐したホール形成部１ａは編地外部に突出して折り返す。少なくとも１以上のウエールからなる編目列で形成したホール形成部１ａは、ホール３を挟んで対向する編目のウエール方向が逆向きとなる。またホール３以外では、対向するホール形成部１ａの始端部８と終端部９が増し目となる掛け目と編目で接合する。増し目は掛け目でも良いし、割増やしや捻れ目による編目でも良い。ホール形成部１ａが折り返して複数箇所で接合され、引っ張りの力がホール３に加わった際にも、力が分散されて強度が増す。
【００１７】
図１で示すホール形成部１ａは、矢印の数が示すように、ホール形成部１ａ以外の編目が編成を休止する間に単独で多数の編目を編成することで、編地外部に突出した形状となる。ホール形成部１ａはウエール方向の中央付近で折り返し、ホール３は、少なくとも１以上のウエールからなる編目列で形成したホール形成部１ａに挟まれる形となる。
【００１８】
編地１の編成工程を、図２〜４の編成図で説明する。なお、図中には編地１の側端部５の位置を実線で示している。後述するＳ１〜Ｓ６の工程では、引き返し編成によりホール形成部１ａの始端部８を形成する前の編目列を傾斜させ、連続して形成する編目列の曲がりを滑らかにして、編目の突っ張りを抑える。図２のＳ０はホール形成部１ａの始端部８を形成する前の編地１ｂの編成を示し、ＦＢの編針Ｋ，Ｉ，Ｇ，Ｅ，Ｃ，Ａに編目を形成する。
【００１９】
Ｓ１では、給糸口を紙面右方向に移動させ、ＦＢの編針Ａ，Ｃ，Ｅ，Ｇに編目を形成する。Ｓ２では、ＦＢの編針Ｋにタック目と編針Ｉ，Ｇ，Ｅ，Ｃ，Ａに編目を形成する。Ｓ３は、ＦＢの編針Ａ，Ｃ，Ｅに編目を形成する。さらにＳ４では、左方向にＦＢの編針Ｉにタック目と編針Ｇ，Ｅ，Ｃ，Ａに編目を形成する。Ｓ３とＳ４と同様の編成を１回ずつ行った後、Ｓ５では、ＦＢの編針Ａに編目を形成する。さらにＳ６では、左方向にＦＢの編針Ｅにタック目と編針Ｃ，Ａに編目を形成する。
【００２０】
図１の編地１に、前記Ｓ１〜Ｓ６の工程による徐々に編目を減らす傾斜部７ａを示した。また編成図では示していないが、ホール形成部１ａの終端部９を形成後、編地１では引き返し編成にて傾斜部７ｂを形成する。（後述するＳ２１以降）徐々に編目を増やす傾斜部７ｂは、傾斜部７ａと対称に形成する。傾斜部７ｂは傾斜部７ａと同様に、連続して形成する編目列の曲がりを滑らかにし、編目の突っ張りを抑えることができる。
【００２１】
図３のＳ７では、ＦＢの編針Ａ，Ｃ，Ｅ，Ｇ，Ｉ，Ｋに編目を形成する。この編成でＳ２から形成したタック目にも編目を形成している。Ｓ８では、ＦＢの編針Ｇ，Ｋに係止する編目をＢＢの編針ｇ，ｋに目移しした後、左方向に向けてＢＢの編針ｋ，ｇとＦＢの編針Ｅに編目を形成する。このＳ８以降、編地１の側端部５近傍で、ホール形成部１ａを除く編地１ｂの編成は休止し、ホール形成部１ａ単独の編成が続く。Ｓ９では、ＦＢの編針Ｃにタック目と編針Ｅ，Ｉに編目を形成する。Ｓ８とＳ９で袋組織を形成する。Ｓ７では、ＦＢの編針Ｃ，Ｅ，Ｇ，Ｉ，Ｋに編目を形成して５目のウエールからなる編目列でホール形成部１ａを形成したが、５目に限らず１目以上であれば良い。但し、編目数が少ない場合には、強度アップのために後述する増し目の形成を３目以上としたほうが良い。
【００２２】
Ｓ１０では、ＦＢの編針Ｅ，Ｉに係止する編目をＦＢの編針Ｇ，Ｋに、ＢＢの編針ｇ，ｋに係止する編目をＢＢの編針ｉ，ｍに目移しした後、左方向に向けてＢＢの編針ｍ，ｉとＦＢの編針Ｇに編目を形成する。Ｓ１１では、Ｓ１０での移動方向と逆側のＦＢの編針Ｅに増し目となる掛け目と、移動した編目を係止する編針Ｇ，Ｋに編目を形成する。ホール形成部１ａを構成する編目列を、横方向に向けて移動させると共に、移動により形成された空針に掛け目と、移動した編目列に続けて新たな編目列を形成している。引き続きＳ１０とＳ１１の編成を２回繰り返し、Ｓ１２はその繰り返した後の状態を示す。Ｓ１２は、ＦＢの編針Ｉに掛け目と編針Ｋ，Ｏに編目を形成する。Ｓ１１から形成した掛け目は、移動の回数分となる３目の増し目となる。形成する増し目は３目に限らず、２目以上であれば良い。なお増し目の数が増えるほど力が分散し、強度がアップする。
【００２３】
Ｓ１３では、ＢＢの編針ｑ，ｍに編目を形成する。Ｓ１４では、ＦＢの編針Ｋ，Ｏに編目を形成する。Ｓ１３とＳ１４の編成では、ホール形成部１ａを構成する編目列の編成を行う。袋組織を形成することで強度アップを図り、両側から同じ様に見えることで見栄えも良くしている。ホール３の大きさはこのＳ１３とＳ１４の工程を繰り返す回数で調整するが、ここでは１０回の繰り返しを行う。ホール形成部１ａの側端部５から編地外部に突出したホール３が形成できる。
【００２４】
図４のＳ１５では、ＦＢの編針Ｋ，Ｏに係止する編目をＦＢの編針Ｉ，Ｍに、ＢＢの編針ｍ，ｑに係止する編目をＢＢの編針ｋ，ｏに目移しする。その目移しによりＦＢの編針Ｉでは、掛け目と編目との重ね目が形成される。ホール形成部１ａの始端部８を形成した際とは逆の方向に移動すると共に、ホール形成部１ａの終端部９を形成しながら、増し目によるホール形成部１ａの始端部８と接合する。Ｓ１６では、左方向に向けてＢＢの編針ｏ，ｋとＦＢの編針Ｉに編目を形成する。ホール形成部１ａの始端部８と終端部９の一部が接合する。Ｓ１７では、ＦＢの編針Ｉ，Ｍに編目を形成する。続いてＳ１５〜Ｓ１７と同様の編成を１回繰り返すことで、重ね目の形成と上記接合が行われる。
【００２５】
Ｓ１８では、ＦＢの編針Ｇ，Ｋに係止する編目をＦＢの編針Ｅ，Ｉに、ＢＢの編針ｉ，ｍに係止する編目をＢＢの編針ｇ，ｋに目移しする。ＦＢの編針Ｅでは、
掛け目と編目との重ね目が形成される。Ｓ１９では、左方向に向けてＢＢの編針ｋ，ｇとＦＢの編針Ｅに編目を形成する。Ｓ２０では、ＦＢの編針Ｅ，Ｉに編目を形成する。Ｓ２１では、ＢＢの編針ｇ，ｋに係止する編目をＦＢの編針Ｇ，Ｋに目移しした後、ＦＢの編針Ｋ，Ｉ，Ｇ，Ｅ，Ｃ，Ａに編目を形成する。
【００２６】
Ｓ１０〜Ｓ１２では、ホール形成部１ａの始端部８を形成している。ホール形成部１ａを構成する編目列は、編地１の側端部５より編地外部側への横方向に向けて移動しながら増し目と編目を形成する。また、Ｓ１３とＳ１４の繰り返しによってホール３の周縁部の編目列を形成する。さらにＳ１５〜Ｓ２０では、ホール形成部１ａが、折り返して編地内部側への移動と編成を繰り返す。ホール形成部１ａは終端部９を形成しながら元の位置に戻り、その終端部９が始端部８と接合することでホール３を形成する。
【００２７】
図５は、本発明の実施例２として示すホール１３を有する編地１０の概略図である。また図６は、本発明の実施例２として示すホール１３を有する編地１０の編成図である。図５、図６を用い、ホール形成部１１ａの始端部１８とホール１３の位置が実施例１よりも更に内部側にある編地１０の編成方法を説明する。実施例１では、図１で示すホール形成部１ａが側端部５に隣接する位置からホール３を形成している。しかしながら実施例２では、ホール形成部１１ａは側端部１５に隣接する編地１０ｂより内部側の位置から始端部１８を形成してホール１３を形成している。
【００２８】
実施例２でのホール形成部１１ａは、側端部１５側の編地１０ｂの終端編目１４と重ね目を形成して接合しながら編地外部側に向けて移動する。実施例１と同様にホール１３の周縁部の編目列を形成した後、折り返して元の位置に戻る際に、側端部１５に隣接する編地１０ｃの始端編目１７に続けるための増し目を形成する。ホール形成部１１ａの始端部１８と終端部１９の接合を、編地内部側から始めることができ、図５に示すようにホール１３を編地１０の内部側に簡単に形成することができる。
【００２９】
図６の編成図では、分岐を開始する位置からの編成をＴ１〜Ｔ９で示す。なお、
図中には編地１０の側端部１５の位置を示している。Ｔ１は、右方向にＦＢの編針Ａ，Ｃ，Ｅ，Ｇ，Ｉ，Ｋ，Ｍ，Ｏ，Ｑに編目を形成する。編針Ａ，Ｃに係止する編目は編地１０ａを、編針Ｅ，Ｇ，Ｉ，Ｋに係止する編目はホール形成部１１ａを、編針Ｍ，Ｏ，Ｑに係止する編目は編地１０ｂを示す。Ｔ２では、ＦＢの編針Ｅ，Ｇ，Ｉ，Ｋに係止する編目をＦＢの編針Ｇ，Ｉ，Ｋ，Ｍに目移しした後、ＦＢの編針Ｑ，Ｏ，Ｋ，Ｉ，Ｇに新たな編目と空針となった編針Ｅに掛け目を形成する。
【００３０】
Ｔ３は、Ｔ２と同様にホール形成部１１ａを構成するＦＢの編針Ｇ，Ｉ，Ｋ，Ｍに係止する編目をＦＢの編針Ｉ，Ｋ，Ｍ，Ｏに目移しした後、空針となったＦＢの編針Ｇに掛け目と編針Ｉ，Ｋ，Ｍ，Ｏに編目を形成する。更にＴ３と同様の編成を２回繰り返すことで、ホール形成部１１ａの一部が側端部１５から外部に突出する。この繰り返しをしない又は１回行えば、編地１０からの突出がないホール１３が形成できる。ホール形成部１１ａを更に内部に設定しても良い。Ｔ４は、ＦＢの編針Ｓ，Ｑ，Ｏ，Ｍに編目を形成し、Ｔ５は、ＦＢの編針Ｍ，Ｏ，Ｑ，Ｓに編目を形成する。このＴ４とＴ５の工程を繰り返す回数でボタンホール１３の大きさを調整する。本実施例では１０回だが、糸の太さやループ長に合わせて回数を変更すれば良い。
【００３１】
Ｔ６は、ホール形成部１１ａを構成するＦＢの編針Ｍ，Ｏ，Ｑ，Ｓに係止する編目をＦＢの編針Ｋ，Ｍ，Ｏ，Ｑに目移しした後、ＦＢの編針Ｑ，Ｏ，Ｍ，Ｋに編目を形成する。目移しの際に形成された編針Ｋの重ね目は解消され、ホール形成部１１ａの始端部１８と終端部１９が接合する。Ｔ７は、編地１０ｃに続ける編目を形成する為にＢＢの編針ｐに掛け目とＦＢの編針Ｏ，Ｍ，Ｋ，Ｉに編目を形成する。Ｔ８は、Ｔ７と同様の編成を２回繰り返した後、ＦＢの編針Ｋ，Ｉ，Ｇ，Ｅ，Ｃ，Ａに編目を形成する。Ｔ９は、ＢＢの編針ｌ，ｎ，ｐに係止する掛け目をＦＢの編針Ｍ，Ｏ，Ｑに目移しした後、ＦＢの編針Ａ，Ｃ，Ｅ，Ｇ，Ｉ，Ｋ，Ｍ，Ｏ，Ｑに編目を形成する。この内、編針Ｍ，Ｏ，Ｑに係止する編目は、編地１０ｃの始端編目１７となる。
【００３２】
図７は、本発明の実施例３として示すホール２３を有する編地２０の概略図である。また図８は、本発明の実施例３として示すホール２３を有する編地２０の編成概略図である。図７、図８を用い、ホール２３を２個形成した編地２０の編成方法を説明する。ホール形成部２１ａにより図１に示すホール３を２個形成したもので、それぞれが１つのホールとすれば同じ編成工程となる。また、側端部２５より突出しているホール２３間の接合部分の長さやホール２３の大きさなども、他の実施例と同様に簡単に調整できる。またホールの追加も更に可能で、新しいデザインのボタンホールなどが形成できる。
【００３３】
図８では、編成は下側から上側に向けて行われる。ホール形成部２１ａを構成する編目列を、編地外部側に向けて移動させると共に、移動方向の逆側に増し目と、移動した編目列に続けて新たな編目列を形成することを繰り返し行う工程（Ｓ１）と、ホール形成部２１ａを構成する編目列を繰り返し形成する工程（Ｓ２）と、ホール形成部２１ａを構成する編目列を、Ｓ１とは逆方向に向けて移動させて前記増し目との重ね目を形成すると共に、移動した編目列に続けて新たな編目列を形成することを繰り返し行う工程（Ｓ３）とを示す。
【００３４】
実施例１、２でも示した様に、図中、Ｓ１の掛け目とその掛け目に対向して上下の関係にあるＳ３の編目が接合され、Ｓ２の同じ位置で、編目列を繰り返し形成してホールが形成される為、Ｓ１〜Ｓ３のグループが２つ存在する。第一グループの１回目のＳ１、Ｓ２の編成後、第二グループのＳ１〜Ｓ３の編成が行われ、その後第一グループの２回目のＳ２と１回目のＳ３が行われる。２回に分けられたＳ２は、合わせると第二グループのＳ２と同じ編成コース数となる。なお、Ｓ１の点線は掛け目の形成と、Ｓ３の太い実線は重ね目を形成したことを示し、矢印は移動方向を、Ｓ１〜Ｓ３は上記に示した工程を行う位置を示している。
【００３５】
なお、本発明は、上述した実施形態に限定されるわけではなく、本発明の要旨を逸脱しない範囲で適宜変更して実施することができる。
【符号の説明】
【００３６】
１，１０，２０，３０    編地  
１ａ，１１ａ，２１ａ，  ホール形成部
３，１３，２３，３３    ホール    
５，１５，２５          側端部    
【図１】
0005695978.tif 000002
【図２】
0005695978.tif 000003
【図３】
0005695978.tif 000004
【図４】
0005695978.tif 000005
【図５】
0005695978.tif 000006
【図６】
0005695978.tif 000007
【図７】
0005695978.tif 000008
【図８】
0005695978.tif 000009
【図９】
0005695978.tif 000010